(57)【要約】    【課題】      ユーザの個人情報の流用、漏洩をなくして、ユーザのプライバシーを保護すると共に、情報提供者が、情報受信者の特徴や状況に応じた情報の提供を行い、情報受信者は、希望する情報を選択的に受信すること。    【解決手段】  ターゲット情報処理部１０２は、送受信部１０１が受信したコンテンツに含まれる再生条件情報から、受信者を特定するための情報であるターゲット情報を解析して得られたユーザ特性情報を情報記憶部１０４の所定に位置に格納する。ユーザ特性情報処理部１０３は、ターゲット情報に含まれるユーザ特性情報と情報記憶部１０４に予め記録しているユーザ情報とを比較することにより、受信したコンテンツの受信者（ユーザ）への適応度（お勧め度）を判定する。情報再生処理部１０５は、ユーザ特性情報処理部１０３の処理結果に基づき、コンテンツの再生処理を行う。  【選択図】      図１
2007019875.tif 000002
【特許請求の範囲】
【請求項１】
情報提供者が配信するコンテンツ及び前記コンテンツの受信者を特定するための情報であるターゲット情報を受信する情報受信手段と、
自局を識別するための情報であるユーザ情報を記録する情報記憶手段と、
前記情報記憶手段に記録されている前記ユーザ情報が、前記情報受信手段にて受信した前記ターゲット情報の条件を満たしている場合に前記情報受信手段にて受信したコンテンツを再生する情報再生処理手段と、
を具備することを特徴とする情報端末装置。
【請求項２】
前記情報受信手段は、前記コンテンツと前記ターゲット情報と前記コンテンツを再生して表示する際のレイアウトの情報であるレイアウト情報とを受信し、
前記情報再生処理手段は、前記情報受信手段にて受信した前記レイアウト情報に従って前記情報受信手段にて受信した前記コンテンツを再生することを特徴とする請求項１記載の情報端末装置。
【請求項３】
前記情報再生処理手段は、前記レイアウト情報に従って、映像とテキストデータとを分けて表示するように前記コンテンツを再生することを特徴とする請求項２記載の情報端末装置。
【請求項４】
前記情報再生処理手段は、前記ユーザ情報が前記ターゲット情報の条件を満たすことが必須ではないことを示す情報が、前記ターゲット情報に含まれている場合には、前記ユーザ情報が前記ターゲット情報の条件を満たしていなくても前記情報受信手段にて受信したコンテンツを再生することを特徴とする請求項１から請求項３のいずれかに記載の情報端末装置。
【請求項５】
情報提供者が配信するコンテンツ及び前記コンテンツの受信者を特定するための情報であるターゲット情報を受信するステップと、
自局を識別するための情報であるユーザ情報を記録するステップと、
記録されている前記ユーザ情報が、受信した前記ターゲット情報の条件を満たしている場合に受信したコンテンツを再生するステップと、
を具備することを特徴とするコンテンツ再生方法。
【発明の詳細な説明】
【技術分野】
【０００１】
本発明は、情報端末装置及びコンテンツ再生方法に関し、特に、ユーザ特性やユーザ状況に応じて、放送的に配信されるコンテンツからユーザに最適なコンテンツを選択して再生するようにした情報端末装置及びコンテンツ再生方法に関する。
【背景技術】
【０００２】
従来より、情報配信サーバがユーザ情報を収集し、収集したユーザ情報に応じて、ユーザが所望すると思われるコンテンツを配信するシステムが提案されている（例えば、特許文献１）。また、コンテンツの受信側で、放送的に配信されるコンテンツをフィルタリングする技術も提案されている（例えば、特許文献２）。特許文献２は、受信すべきコンテンツの条件をメモリ内に設定しておき、前記条件に該当するコンテンツのみを受信するものである。
【特許文献１】特開２００１−２８２８３４号公報
【特許文献２】特開２００２−１７６４０３号公報
【発明の開示】
【発明が解決しようとする課題】
【０００３】
しかしながら、従来の装置においては、特許文献１では、ユーザは、個人情報を提供しなければならず、プライバシー情報の流用や漏洩が危惧されるという問題がある。また、従来の装置においては、特許文献２では、受信端末に、カテゴリ情報やキーワードを設定し、受信情報をフィルタリングできるものの、条件成立については受信側の解釈に任されており、必ずしも、受信側の特徴に応じた意図した通りの情報が受信できるとは限らないという問題がある。
【０００４】
本発明は、かかる点に鑑みてなされたものであり、ユーザの個人情報の流用、漏洩をなくして、ユーザのプライバシーを保護すると共に、情報提供者が、情報受信者の特徴や状況に応じた情報の提供を行い、情報受信者は、希望する情報を選択的に受信することができる情報端末装置及びコンテンツ再生方法を提供することを目的とする。
【課題を解決するための手段】
【０００５】
本発明の情報端末装置は、情報提供者が配信するコンテンツ及び前記コンテンツの受信者を特定するための情報であるターゲット情報を受信する情報受信手段と、自局を識別するための情報であるユーザ情報を記録する情報記憶手段と、前記情報記憶手段に記録されている前記ユーザ情報が、前記情報受信手段にて受信した前記ターゲット情報の条件を満たしている場合に前記情報受信手段にて受信したコンテンツを再生する情報再生処理手段と、を具備する構成を採る。
【０００６】
本発明のコンテンツ再生方法は、情報提供者が配信するコンテンツ及び前記コンテンツの受信者を特定するための情報であるターゲット情報を受信するステップと、自局を識別するための情報であるユーザ情報を記録するステップと、記録されている前記ユーザ情報が、前記ターゲット情報の条件を満たしている場合に受信したコンテンツを再生するステップと、を具備するようにした。
【発明の効果】
【０００７】
本発明によれば、ユーザの個人情報の流用、漏洩をなくして、ユーザのプライバシーを保護すると共に、情報提供者が、情報受信者の特徴や状況に応じた情報の提供を行い、情報受信者は、希望する情報を選択的に受信することができる。
【発明を実施するための最良の形態】
【０００８】
本発明では、予め、情報端末装置のメモリ内に自局を識別するための情報であるユーザ情報を記録しておき、情報提供者が配信するコンテンツを受信し、受信したコンテンツに含まれる情報提供者が指定する条件の情報である再生条件情報を解析する。そして、解析した再生条件情報とメモリに記録されたユーザ情報とを比較し、再生条件情報とユーザ情報とが一致していることを検出したとき、そのコンテンツを再生することで、情報提供者が、情報受信者の特徴や状況に応じた情報の提供を行い、情報受信者は、希望する情報を選択的に受信するものである。本発明では、ユーザ情報は、情報提供者が指定する条件に合致しているので、ユーザは、希望するコンテンツを確実に受信することが出来る。なお、ユーザ情報及び再生条件情報は、共に、少なくとも性別を含む情報である。
【０００９】
以下に、本発明の実施の形態について、図面を参照して詳細に説明する。
【００１０】
（実施の形態１）
図１は、本発明の実施の形態１に係る情報端末装置１００の構成を示すブロック図である。
【００１１】
本発明の情報端末装置１００は、送受信部１０１と、ターゲット情報処理部１０２と、ユーザ特性情報処理部１０３と、情報記憶部１０４と、情報再生処理部１０５とを備えている。
【００１２】
送受信部１０１は、データの送受信を行うと共に、コンテンツ（又は放送データ）を受信する。
【００１３】
ターゲット情報処理部１０２は、送受信部１０１が受信したコンテンツに含まれる、図４に示す再生条件情報４００から、受信者を特定するための情報であるターゲット情報を解析して、得られたユーザ特性情報を情報記憶部の所定に位置に格納する。
【００１４】
ユーザ特性情報処理部１０３は、受信したターゲット情報に含まれるユーザ特性情報と情報端末装置１００内に予め記憶しているユーザ情報とを比較することにより、受信したコンテンツの受信者（ユーザ）への適応度（お勧め度）を判定する機能を有する。本発明のユーザ特性情報には、少なくとも性別又は年齢が含まれる。ユーザ情報は、情報提供者が指定する条件に合致した情報であり、情報端末装置１００を所有する受信者を特定するため、少なくとも性別又は年齢が含まれる。具体的には、ユーザ特性情報処理部１０３は、ユーザ情報がターゲット情報の条件を満たすか否かを判定する。
【００１５】
情報記憶部１０４は、ユーザ特性情報を一旦記憶するユーザ特性情報記憶部１０６と、ユーザ情報を格納したユーザ情報記憶部１０７とを備え、情報記憶部１０４は、例えば、フラッシュメモリから構成される。
【００１６】
本発明のユーザ情報記憶部１０７には、上記したユーザ情報の他、例えば、物品の購入履歴情報等ユーザに関わる情報を記憶するように構成している。
【００１７】
情報再生処理部１０５は、ユーザ特性情報処理部１０３の処理結果に基づき、コンテンツの再生処理を行う機能を有する。
【００１８】
次に、情報端末装置１００が用いられる情報提供システム２５０の構成について、図２を用いて説明する。図２は、情報提供システム２５０の構成を示す図である。
【００１９】
本発明の情報提供システム２５０は、図２に示すように、データを送信する情報配信サーバ（放送サーバ）２００と、携帯電話機、ＰＤＡ（Personal Digital Assistant）等の複数の情報端末装置２０１〜２０３と、情報配信サーバ２００にインターネット２３０を経由してコンテンツを提供する複数の情報提供サーバ２１１〜２１３と、情報配信サーバ２００からのデータをコアネットワーク２２０を経由して受信し、このデータを情報端末装置２０１〜２０３に送信する基地局２２１〜２２３と、情報端末装置２０１〜２０３から情報提供サーバ２１１〜２１３への要求データを中継すると共に、情報提供サーバ２１１〜２１３から情報端末装置２０１〜２０３への応答データを中継するゲートウェイサーバ２１０とで構成されている。なお、情報端末装置２０１〜２０３、情報提供サーバ２１１〜２１３及び基地局２２１〜２２３のそれぞれの数は、本発明において、特に限定されるものではない。
【００２０】
次に、このように構成した情報端末装置１００のコンテンツ再生方法について、図３〜図８を用いて説明する。図３は、コンテンツ再生方法を示すフロー図であり、図４は、再生条件情報の一例を示す図であり、図５は、ユーザ特性情報の一例を示す図であり、図６は、ユーザ特性情報の一例を示す図であり、図７は、情報記憶部１０４に格納されている購入履歴情報の一例を示す図であり、図８は、情報記憶部１０４に格納されているユーザ属性情報の一例を示す図である。なお、情報端末装置１００は、図７に示す購入履歴情報と、図８に示すユーザ属性情報とをユーザ情報記憶部１０７に予め記憶しているものとし、この状態で、情報端末装置１００が、図４に示す再生条件情報４００を受信する。
【００２１】
情報配信サーバ２００は、再生条件情報４００から参照される特徴的なユーザ特性やユーザ状況を指定するためのユーザ特性情報を含むコンテンツを情報端末装置２０１〜２０３に対して放送的に配信する。
【００２２】
情報端末装置１００の送受信部１０１は、図４に示す再生条件情報４００を受信する（ＳＴ３０１）。
【００２３】
再生条件情報４００にターゲット情報が含まれていなければ（ＳＴ３０２）、受信したコンテンツを再生する（ＳＴ３０６）。
【００２４】
一方、再生条件情報４００にターゲット情報が含まれている図４〜図６に示す場合、ターゲット情報処理部１０２は、ターゲット情報４１０の解析により、要求レベル指定情報４２１を参照することにより、ユーザ特性情報指定情報４２２、４２３が示すユーザ特性情報５００、６００を満たすことが必須であると判断する。同時に、ターゲット情報処理部１０２は、受信した再生条件情報４００のターゲット情報４１０から抽出したユーザ特性情報５００、６００を情報記憶部１０４のユーザ特性情報記憶部１０６に格納する（ＳＴ３０３）。
【００２５】
次に、ユーザ特性情報処理部１０３は、ユーザ特性情報５００の判定処理に際して、ユーザ情報記憶部１０７内のユーザ属性情報８００を参照して、条件が満たされるかを判定する。図５及び図８の場合、ユーザ特性情報５００の年齢と性別データが、ユーザ属性情報８００の年齢と性別に一致しているので、受信条件が満たされると判定する（ＳＴ３０４）。
【００２６】
更に、ユーザ特性情報処理部１０３は、ユーザ特性情報６００の判定処理に際して、条件情報６０３が満たされているか否かを判定する。このために、ターゲットソース情報６０４に示される図７の「purchase.xml」を参照して条件が満たされるか否かを判定する。
【００２７】
ユーザ特性情報処理部１０３は、購入履歴情報７００の商品コードを検索し、購入履歴情報７００内に商品コードが「０１２３」の購入履歴が存在することを確認し、購入履歴情報７１４が、受信条件を満たしていると判定する。
【００２８】
従って、ユーザ特性情報処理部１０３は、二つのユーザ特性情報指定情報４２２、４２３が共に、受信端末装置１００のユーザ情報と一致しているので、情報配信先に対応する情報端末装置であると判定し（ＳＴ３０５）、情報再生処理部１０５は、受信した再生条件情報４００で指定するコンテンツ本体情報４０２を再生処理し、ユーザに提示する。
【００２９】
次に、図４〜図６に基づき、情報端末装置１００で使用される再生条件情報４００について、さらに詳細に説明する。
【００３０】
再生条件情報４００は、コンテンツ本体情報４０２と、それに付随する情報であるヘッダ情報４０１とで構成される。
【００３１】
ヘッダ情報４０１は、ターゲット情報４１０を含む情報であり、ターゲット情報４１０は、サービス識別子４１１と、保存データ名を指定するデータ名指定情報４１２と、ターゲット条件情報４１３とで構成される。
【００３２】
サービス識別子４１１は、ターゲット情報４１０が適応される範囲を示す情報である。
【００３３】
データ名指定情報４１２は、情報端末装置１００が、ターゲット情報４１０を保存および参照する時に使用する識別情報である。
【００３４】
ターゲット条件情報４１３は、要求レベル指定情報４２１と、ユーザ特性情報を指定するユーザ特性情報指定情報４２２、４２３と、論理条件情報４２４とで構成される。
【００３５】
要求レベル指定情報４２１は、情報提供者が受信者を制限するか否かを示す情報であり、「required」であれば、ターゲット情報４１０が示す条件に一致するユーザのみが情報を得ることができる。
【００３６】
その他、条件が一致する受信者は必ず処理しつつ、条件が一致しない受信者でも処理しても良い条件や、条件が一致する受信者に対して推奨するレベルを示すように構成することも可能である。要求レベル指定情報４２１が、条件が一致しない受信者であっても処理しても良い条件である場合、即ちターゲット情報４１０の条件を満たすことが必須ではない条件である場合には、ターゲット情報４１０が示す条件を満たしていないユーザであっても情報を得ることができる。
【００３７】
ユーザ特性情報指定情報４２２、４２３は、図５及び図６に示すユーザ特性情報５００をそれぞれ指定する識別情報である。
【００３８】
論理条件情報４２４は、論理積（「and」）を表しており、ユーザ特性情報指定情報４２２及び４２３でそれぞれ指定されるユーザ特性情報５００が、共に、満たされる時にのみ、受信条件が満たされることを示している。
【００３９】
図５、図６は、ユーザ特性情報指定情報４２２、４２３で、それぞれ参照されるユーザ特性情報である。
【００４０】
図５のユーザ特性情報５００は、ユーザ特性情報識別子５０１と、情報グループ識別子５０２と、ユーザ属性情報５０３とを含む情報である。
【００４１】
図５のユーザ属性情報５０３は、年齢情報５０４と、性別情報５０５と、論理条件情報５０６とで構成され、「年齢が３０歳代かつ女性」という条件が与えられている。
【００４２】
図６のユーザ特性情報６００は、ユーザ特性情報識別子６０１と、情報グループ識別子６０２と、ユーザに関係する条件情報６０３とを含む情報である。
【００４３】
条件情報６０３は、参照先データベースを示すターゲットソース情報６０４と、そのソース情報の中の参照すべき情報を示す参照ルール６０５と、評価値６０６とで構成されている。
【００４４】
ターゲットソース情報６０４は、「purchase.xml」を参照することを示し、参照ルール６０５は、「purchase.xml」の中の「商品コード」タグに囲まれるデータを参照することを示し、条件情報６０３は、評価値６０６の値と一致する情報が存在する場合に、条件が成立（「match」）することを示している。
【００４５】
図７及び図８は、ユーザ情報記憶部１０７に格納されているユーザ情報であり、図７の購入履歴情報７００は、情報識別子７０１と、複数の物品の購入履歴情報７１１〜７１４とから構成される。本実施の形態では、購入履歴情報７１１〜７１４は、購入時刻と、品目と、商品名と、商品コードとで構成される。
【００４６】
図８のユーザ情報であるユーザ属性情報８００は、年齢（「age」）と性別（「gender」）を含むユーザに関する情報である。このユーザ属性情報８００は、受信者が、３２歳の女性であることを示しており、ファイル名は「UserProfile1」であることを示している。
【００４７】
このように、本実施の形態１によれば、放送コンテンツを配信する際、情報提供者は、受信者を柔軟かつ明確に指定して、放送コンテンツを配信することができるので、情報提供者が、情報受信者の特徴や状況に応じた情報の提供を行うことができるとともに、情報受信者も、希望する情報を選択的に受信することができる。また、本実施の形態１によれば、情報受信者が個人情報を提供する必要がないので、ユーザの個人情報の流用、漏洩をなくして、ユーザのプライバシーを保護することができる。
【００４８】
（実施の形態２）
本発明の実施の形態２は、ユーザ特性や状況に応じて、再生するメディアを選択し、画像の表示レイアウトを変更するように構成したものである。
【００４９】
図９は、本発明の実施の形態２に係る情報端末装置９００の構成を示すブロック図である。
【００５０】
本実施の形態２に係る情報端末装置９００は、図１に示す実施の形態１に係る情報端末装置１００において、図９に示すように、再生制御情報処理部９１０を追加する。なお、図９においては、図１と同一構成である部分には同一の符号を付してその説明は省略する。また、本実施の形態２における情報提供システムは、実施の形態１で説明した図２の情報提供システム２５０と同一のシステムが用いられる。
【００５１】
再生制御情報処理部９１０は、図１１に示す再生制御情報１１００のレイアウト情報１１１２に基づき、再生するメディアを選択し、画像の表示レイアウトを変更する。
【００５２】
次に、図１１の再生制御情報１１００に従ってコンテンツを受信する場合の情報端末装置９００の動作について、図１０及び図１１を用いて説明する。図１０は、情報端末装置９００の動作を示すフローであり、図１１は、再生制御情報の一例を示す図である。
【００５３】
先ず、送受信部１０１は、再生制御情報１１００を受信する（ＳＴ１００１）。
【００５４】
次に、再生制御情報処理部９１０は、受信した再生制御情報１１００に再生条件情報が含まれているか否かを解析する。図１１の再生制御情報１１００に、再生条件情報１１１１が含まれているので、再生制御情報処理部９１０は、ターゲット情報処理部１０２で再生条件情報１１１１の解析を行うように指示する（ＳＴ１００２）。
【００５５】
なお、再生条件情報１１１１が含まれていない場合、受信したコンテンツを再生する（ＳＴ１００２、ＳＴ１００６）。
【００５６】
一方、ターゲット情報処理部１０２は、再生条件情報１１１１の解析により、ユーザ特性情報指定情報１１２６、１１２７が示す、図５、６にそれぞれ示すユーザ特性情報５００、６００を満たすことが必須であると判断する（ＳＴ１００３）。同時に、ターゲット情報処理部１０２は、ターゲット情報１１２１から抽出したユーザ特性情報を情報記憶部１０４のユーザ特性情報記憶部１０６に格納する。
【００５７】
次に、ユーザ特性情報処理部１０３は、ユーザ特性情報５００の判定処理に際して、ユーザ属性情報８００を参照して、条件が満たされるかを判定する。ここでは、実施の形態１での説明と同様に、年齢と性別に関して条件が満たされていることを検出する。
【００５８】
更に、ユーザ特性情報処理部１０３は、ユーザ特性情報６００の判定処理に際して（ＳＴ１００４）、条件情報６０３が満たされるか否かを判定する。このために、ターゲットソース情報６０４に示される「purchase.xml」を参照して条件が満たされるか否かを判定する。
【００５９】
ユーザ特性情報処理部１０３は、購入履歴情報７００の商品コードを検索し、商品コードが「０１２３」の購入履歴が存在すると判定し、条件情報６０３が満たされていることを判定する。
【００６０】
従って、ユーザ特性情報処理部１０３は、二つのユーザ特性情報指定情報１１２６、１１２７が共に満たされるので、再生条件が満たされると判定する（ＳＴ１００５）。
【００６１】
次に、再生制御情報処理部９１０は、再生条件を満たしているので、再生制御情報１１００のレイアウト情報１１１２を解析し、情報再生処理部１０５は、レイアウト情報１１１２に従って受信したコンテンツを再生処理し、ユーザに提示する（ＳＴ１００６）。
【００６２】
一方、再生条件を満たしていない場合（ＳＴ１００５）、ターゲット情報に無関係な再生可能な部分のみ、部分的にコンテンツを再生処理し、ユーザに提示する（ＳＴ１００７）。
【００６３】
次に、図１１を用いて、情報端末装置９００で受信する再生制御情報１１００について、さらに詳細に説明する。
【００６４】
再生制御情報１１００は、ヘッダ情報１１０１と、コンテンツ本体情報１１０２とで構成される。
【００６５】
ヘッダ情報１１０１は、再生条件情報１１１１と、レイアウト情報１１１２とで構成される。
【００６６】
ヘッダ情報１１０１の再生条件情報１１１１は、受信者（ユーザ）を特定するためのターゲット情報１１２１を含む情報である。
【００６７】
ターゲット情報１１２１は、サービス識別子１１２２と、保存データ名を指定するデータ名指定情報１１２３と、ターゲット条件情報１１２４とで構成される。
【００６８】
サービス識別子１１２２は、ターゲット情報１１２１が適応される範囲を示す情報である。
【００６９】
データ名指定情報１１２３は、情報端末装置９００が、ターゲット情報１１２１を保存および参照する時に使用する識別情報である。
【００７０】
ターゲット条件情報１１２４は、要求レベル指定情報１１２５と、ユーザ特性情報を指定するユーザ特性情報指定情報１１２６、１１２７と、論理条件情報１１２８とで構成される。
【００７１】
要求レベル指定情報１１２５は、情報提供者が受信者を制限するか否かを明確に示す情報であり、「required」であれば、ターゲット情報１１２１が示す条件に一致するユーザのみが情報を得ることができる。
【００７２】
ユーザ特性情報指定情報１１２６、１１２７は、ユーザ特性情報を指定する識別情報である。
【００７３】
論理条件情報１１２８は、論理積（「and」）を表しており、ユーザ特性情報指定情報１１２６、１１２７のそれぞれが指定するユーザ特性情報が、共に満たされる時にのみ、受信条件が満たされることを示している。
【００７４】
従って、ターゲット条件情報１１２４は、実施の形態１のターゲット条件情報４１３と同じ構成である。
【００７５】
ヘッダ情報１１０１のレイアウト情報１１１２は、第一の表示領域を示すレイアウト情報１１３１と、第二の表示領域を示すレイアウト情報１１３２とで構成される。
【００７６】
第二の表示領域を示すレイアウト情報１１３２は、ターゲット情報が真の場合に、その第二の領域の表示を有効とすることを示す要求条件情報１１３３を含む情報である。
【００７７】
コンテンツ本体情報１１０２は、再生するメディアに関する情報を示しており、再生するメディアは、音情報１１４１と、映像情報１１４２と、テキストベース情報１１４３とで構成される。そして、各メディア１１４１〜１１４３は、同時に再生されることが制御子１１４４にて示されている。
【００７８】
次に、情報端末装置９００の再生例を、図１２を参照して説明する。図１２は、情報端末装置９００の表示部１２００の受信情報の表示の一例を示す図である。表示部１２００は、スピーカ１２０３、液晶画面等の第一の表示領域１２０１及び液晶画面等の第二の表示領域１２０２から構成される。なお、図９においては、表示部１２００の記載は省略している。
【００７９】
情報端末装置９００は、音情報１１４１を、スピーカ１２０３にて再生すると共に、映像情報１１４２を第一の表示領域１２０１に表示する。更に、情報端末装置９００は、テキストベース情報１１４３の再生に際して、レイアウト情報１１３２を参照して、第二の表示領域１２０２に表示する。なお、第二の表示領域を示すレイアウト情報１１３２の要求条件情報１１３３が真でない場合、つまり、再生条件情報１１１１が真でなければ、第二の表示領域１２０２に何も表示されない。なお、ターゲット情報の処理については、上記実施の形態１と同一であるので、詳細な説明は省略する。
【００８０】
このように、本実施の形態２によれば、上記実施の形態１の効果に加えて、再生条件情報を含む再生制御情報を用いることにより、再生メディアのレイアウトを、ユーザに応じて変えることができる。
【００８１】
なお、本実施の形態２において、第二の表示領域１２０２にメディアを表示するか否かの例を示したが、これに限らず、表示領域の大きさを変える等、レイアウトを柔軟に変えることも可能である。
【産業上の利用可能性】
【００８２】
本発明にかかる情報端末装置及びコンテンツ再生方法は、特に、ユーザ特性やユーザ状況に応じて、放送的に配信されるコンテンツから最適なコンテンツを選択して再生するようにした携帯電話機、携帯情報端末装置、ノート型パーソナルコンピュータ、無線ＬＡＮや有線ＬＡＮにより構築されたネットワーク上のパーソナルコンピュータ等の情報端末装置に用いるに好適である。
【図面の簡単な説明】
【００８３】
【図１】本発明の実施の形態１に係る情報端末装置の構成を示すブロック図
【図２】本発明の実施の形態１に係る情報提供システムの構成を示す図
【図３】本発明の実施の形態１に係る情報端末装置の動作を示すフロー図
【図４】本発明の実施の形態１に係る再生条件情報の一例を示す図
【図５】本発明の実施の形態１に係るユーザ特性情報の一例を示す図
【図６】本発明の実施の形態１に係るユーザ特性情報の一例を示す図
【図７】本発明の実施の形態１に係る購入履歴情報の一例を示す図
【図８】本発明の実施の形態１に係るユーザ属性情報の一例を示す図
【図９】本発明の実施の形態２に係る情報端末装置の構成を示すブロック図
【図１０】本発明の実施の形態２に係る情報端末装置の動作を示すフロー図
【図１１】本発明の実施の形態２に係る再生制御情報の一例を示す図
【図１２】本発明の実施の形態２に係る受信情報の表示の一例を示す図
【符号の説明】
【００８４】
１００  情報端末装置
１０１  送受信部
１０２  ターゲット情報処理部
１０３  ユーザ特性情報処理部
１０４  情報記憶部
１０５  処理再生処理部
【図１】
2007019875.tif 000003
【図２】
2007019875.tif 000004
【図３】
2007019875.tif 000005
【図４】
2007019875.tif 000006
【図５】
2007019875.tif 000007
【図６】
2007019875.tif 000008
【図７】
2007019875.tif 000009
【図８】
2007019875.tif 000010
【図９】
2007019875.tif 000011
【図１０】
2007019875.tif 000012
【図１１】
2007019875.tif 000013
【図１２】
2007019875.tif 000014